(57)【要約】【課題】処理装置の拡張機能部が他の処理装置と連携した処理動作をする構成において、その連携した処理動作に連動させて拡張機能部への電源供給を停止又は維持させる。【解決手段】主画像処理装置１０は、基本機能部２０と、拡張機能部５０と、操作に応じて電源の供給状態を切り替えるメイン電源スイッチ１２と、メイン電源スイッチ１２に対して電源の供給を停止する操作がされたとき、基本機能部２０及び拡張機能部５０への電源の供給を停止する基本機能電源制御部３２及び拡張機能電源制御部６１と、拡張機能部５０と周辺画像処理装置との連携した処理動作の状態を基に、拡張機能電源制御部６１による拡張機能部５０への電源の供給を維持する拡張機能制御部７０と、を備える。【選択図】図４
2011201140.tif 000002
【特許請求の範囲】
【請求項１】
要求された処理を行う第１処理手段と、
要求された処理を行うものであり、他の処理装置と連携した処理動作が可能な第２処理手段と、
操作に応じて電源の供給状態を切り替える切替操作手段と、
前記切替操作手段に対して電源の供給を停止する操作がされたとき、前記第１処理手段及び前記第２処理手段への電源の供給を停止する電源供給手段と、
前記第２処理手段と前記他の処理装置との連携した処理動作の状態を基に、前記電源供給手段による前記第２処理手段への電源の供給を維持する維持手段と、
を備える処理装置。
【請求項２】
前記維持手段は、前記第２処理手段が前記他の処理装置と連携した処理動作をするとき、前記電源供給手段による前記第２処理手段への電源の供給を維持する請求項１に記載の処理装置。
【請求項３】
前記維持手段は、前記他の処理装置が起動されているとき、前記第２処理手段が前記他の処理装置と連携した処理動作をすると判定する請求項２に記載の処理装置。
【請求項４】
前記他の処理装置の動作状態の情報を更新しており、その更新を自己の装置が起動したときから開始する更新手段を備え、
前記維持手段は、前記更新手段が更新する前記他の処理装置の動作状態の情報を基に、前記第２処理手段と前記他の処理装置との連携した処理動作の状態を判定する請求項１乃至３の何れか１項に記載の処理装置。
【請求項５】
前記更新手段は、前記他の処理装置が起動したときに該他の処理装置から送信されてくる該起動の情報を基に、前記他の処理装置の動作状態の情報を更新する請求項４に記載の処理装置。
【請求項６】
操作に応じて前記維持手段による維持を無効にする無効操作手段を備える請求項１乃至５の何れか１項に記載の処理装置。
【請求項７】
前記無効操作手段に対して前記維持手段による維持を無効にする操作がされたとき、前記第２処理手段により連携した処理動作を行えなくなる内容の情報を前記他の処理装置に送信する送信手段を備える請求項６に記載の処理装置。
【請求項８】
前記維持手段が前記電源供給手段による前記第２処理手段への電源の供給を維持しているとき、その維持を報知する報知手段を備える請求項１乃至７の何れか１項に記載の処理装置。
【請求項９】
要求された処理を行う第１処理装置と、要求された処理を行うものであり、通信手段を介して接続されている前記第１処理装置と連携した処理動作が可能な第２処理装置と、を備え、
前記第２処理装置は、
要求された処理を行う第１処理手段と、
要求された処理を行うものであり、通信手段を介して接続されている前記第１処理装置と連携した処理動作が可能な第２処理手段と、
操作に応じて電源の供給状態を切り替える切替操作手段と、
前記切替操作手段に対して電源の供給を停止する操作がされたとき、前記第１処理手段及び前記第２処理手段への電源の供給を停止する電源供給手段と、
前記第２処理手段と前記第１処理装置との連携した処理動作の状態を基に、前記電源供給手段による前記第２処理手段への電源の供給を維持する維持手段と、
を備える処理システム。
【請求項１０】
要求された処理を行う第１処理手段と、
要求された処理を行うものであり、他の処理装置と連携した処理動作が可能な第２処理手段と、
操作に応じて電源の供給状態を切り替える切替操作手段に対して電源の供給を停止する操作がされたとき、前記第１処理手段及び前記第２処理手段への電源の供給を停止する電源供給手段と、
前記第２処理手段と前記他の処理装置との連携した処理動作の状態を基に、前記電源供給手段による前記第２処理手段への電源の供給を維持する維持手段と、
をコンピュータに実行させるコンピュータに読取可能な制御プログラム。
【発明の詳細な説明】
【技術分野】
【０００１】
本発明は、処理装置、処理システム及び制御プログラムである。
【背景技術】
【０００２】
特許文献１には、複数台の画像機器のうち予め設定されたメイン画像機器が、自己の電源がオフにされると、ネットワークを介して他の画像機器に電源オフ命令を送出し、他の画像機器が、電源オフ命令が送信されてくると、自機の電源をオフする機器群の電源管理システムが開示されている。
特許文献２には、ネットワークに接続される外部機器へ応答要求を行い、その外部機器からの応答の有無により自己の電源のオン／オフ制御を行う画像形成装置が開示されている。
【先行技術文献】
【特許文献】
【０００３】
【特許文献１】特開２００６−１６５９９０号公報
【特許文献２】特開２００６−２５９１８１号公報
【発明の概要】
【発明が解決しようとする課題】
【０００４】
本発明の目的は、処理装置の拡張機能部が他の処理装置と連携した処理動作をする構成において、その連携した処理動作に連動させて拡張機能部への電源供給を停止又は維持させることである。
【課題を解決するための手段】
【０００５】
請求項１に係る発明は、要求された処理を行う第１処理手段と、要求された処理を行うものであり、他の処理装置と連携した処理動作が可能な第２処理手段と、操作に応じて電源の供給状態を切り替える切替操作手段と、前記切替操作手段に対して電源の供給を停止する操作がされたとき、前記第１処理手段及び前記第２処理手段への電源の供給を停止する電源供給手段と、前記第２処理手段と前記他の処理装置との連携した処理動作の状態を基に、前記電源供給手段による前記第２処理手段への電源の供給を維持する維持手段と、を備える処理装置である。
【０００６】
請求項２に係る発明は、請求項１の記載において、前記維持手段は、前記第２処理手段が前記他の処理装置と連携した処理動作をするとき、前記電源供給手段による前記第２処理手段への電源の供給を維持する処理装置である。
請求項３に係る発明は、請求項２の記載において、前記維持手段は、前記他の処理装置が起動されているとき、前記第２処理手段が前記他の処理装置と連携した処理動作をすると判定する記載の処理装置である。
【０００７】
請求項４に係る発明は、請求項１乃至３の何れか１項の記載において、前記他の処理装置の動作状態の情報を更新しており、その更新を自己の装置が起動したときから開始する更新手段を備え、前記維持手段は、前記更新手段が更新する前記他の処理装置の動作状態の情報を基に、前記第２処理手段と前記他の処理装置との連携した処理動作の状態を判定する処理装置である。
【０００８】
請求項５に係る発明は、請求項４の記載において、前記更新手段は、前記他の処理装置が起動したときに該他の処理装置から送信されてくる該起動の情報を基に、前記他の処理装置の動作状態の情報を更新する処理装置である。
請求項６に係る発明は、請求項１乃至５の何れか１項の記載において、操作に応じて前記維持手段による維持を無効にする無効操作手段を備える処理装置である。
【０００９】
請求項７に係る発明は、請求項６の記載において、前記無効操作手段に対して前記維持手段による維持を無効にする操作がされたとき、前記第２処理手段により連携した処理動作を行えなくなる内容の情報を前記他の処理装置に送信する送信手段を備える処理装置である。
請求項８に係る発明は、請求項１乃至７の何れか１項の記載において、前記維持手段が前記電源供給手段による前記第２処理手段への電源の供給を維持しているとき、その維持を報知する報知手段を備える処理装置である。
【００１０】
請求項９に係る発明は、要求された処理を行う第１処理装置と、要求された処理を行うものであり、通信手段を介して接続されている前記第１処理装置と連携した処理動作が可能な第２処理装置と、を備え、前記第２処理装置は、要求された処理を行う第１処理手段と、要求された処理を行うものであり、通信手段を介して接続されている前記第１処理装置と連携した処理動作が可能な第２処理手段と、操作に応じて電源の供給状態を切り替える切替操作手段と、前記切替操作手段に対して電源の供給を停止する操作がされたとき、前記第１処理手段及び前記第２処理手段への電源の供給を停止する電源供給手段と、前記第２処理手段と前記第１処理装置との連携した処理動作の状態を基に、前記電源供給手段による前記第２処理手段への電源の供給を維持する維持手段と、を備える処理システムである。
【００１１】
請求項１０に係る発明は、要求された処理を行う第１処理手段と、要求された処理を行うものであり、他の処理装置と連携した処理動作が可能な第２処理手段と、操作に応じて電源の供給状態を切り替える切替操作手段に対して電源の供給を停止する操作がされたとき、前記第１処理手段及び前記第２処理手段への電源の供給を停止する電源供給手段と、前記第２処理手段と前記他の処理装置との連携した処理動作の状態を基に、前記電源供給手段による前記第２処理手段への電源の供給を維持する維持手段と、をコンピュータに実行させるコンピュータに読取可能な制御プログラムである。
【発明の効果】
【００１２】
請求項１、９、１０に係る発明によれば、処理装置の第２処理手段が他の処理装置と連携した処理動作をする構成において、その連携した処理動作に連動させて第２処理手段への電源供給を停止又は維持させることができる。
請求項２に係る発明によれば、切替操作手段に対して電源の供給を停止する操作がされても、第２処理手段が他の処理装置と連携した処理動作をするときには、その処理動作が可能になる。
【００１３】
請求項３に係る発明によれば、他の処理装置は、自己が稼動している間、第２処理手段と連携した処理動作をすることができる。
請求項４に係る発明によれば、このような構成が無い場合と比較して、他の処理装置と連携した処理動作の状態を早く判定することができる。
請求項５に係る発明によれば、このような構成が無い場合と比較して、他の処理装置の動作状態の情報の更新処理の負担を軽減させることができる。
【００１４】
請求項６に係る発明によれば、維持手段が電源を供給して動作させている第２処理手段を使用者が停止させることができる。
請求項７に係る発明によれば、第２処理手段の停止により該第２処理手段と連携した処理ができなくなることを他の処理装置の使用者が知らせることができる。
請求項８に係る発明によれば、切替操作手段に対して電源の供給を停止する操作がされた後に、第２処理手段が稼動状態になっていることを使用者に報知できる。
【図面の簡単な説明】
【００１５】
【図１】第１の実施形態の画像処理システムの概略構成を示す図である。
【図２】主画像処理装置及び周辺画像処理装置の構成例を示す図である。
【図３】通信手段に接続されている各画像処理装置全てが基本機能部及び拡張機能部を有する画像処理システムの例を示す図である。
【図４】主画像処理装置の概略構成の例を示すブロック図である。
【図５】基本機能制御部の概略構成の例を示すブロック図である。
【図６】拡張機能制御部の概略構成の例を示すブロック図ある。
【図７】リストの例を示す図である。
【図８】主画像処理装置における電源処理に係る処理手順を示すフローチャートである。
【図９】拡張機能部の処理を示すフローチャートである。
【図１０】図９のステップＳ３４のリスト更新処理の具体例であるサブルーチンを示すフローチャートである。
【図１１】メイン電源スイッチがＯＦＦされた後も継続して電源供給されている拡張機能部の該電源供給を強制的にＯＦＦにするときの処理を示すフローチャートである。
【図１２】第２の実施形態における拡張機能部の処理を示すフローチャートである。
【図１３】拡張機能部のリスト更新処理を示すフローチャートである。
【図１４】第２の実施形態の変形例における周辺画像処理装置の処理を示すフローチャートである。
【図１５】第２の実施形態の変形例における主画像処理装置の処理を示すフローチャートである。
【発明を実施するための形態】
【００１６】
先ず、本発明を適用した第１の実施形態の画像処理システムを説明する。
図１は、第１の実施形態の画像処理システム１の概略構成を示す。
図１に示すように、画像処理システム１は、主画像処理装置１０と、複数の周辺画像処理装置１０１，１０２，・・・とを有する。この画像処理システムでは、主画像処理装置１０と周辺画像処理装置１０１，１０２，・・・とがＬＡＮ（Local Area Network）等の通信手段２００を介して通信可能に接続されている。
【００１７】
周辺画像処理装置１０１，１０２は、基本機能部１０１ａ，１０２ａを有する。基本機能部１０１ａ，１０２ａは、該周辺画像処理装置１０１，１０２における画像読み取り処理や印刷処理等の基本的な処理を行う。
【００１８】
また、主画像処理装置１０は、基本機能部２０と拡張機能部５０とを有する。基本機能部２０は、該主画像処理装置１０における基本的な処理を行う。例えば、主画像処理装置１０の基本機能部２０の処理と周辺画像処理装置の基本機能部１０１ａ，１０２ａの処理とは同様な処理である。また、拡張機能部５０は、主画像処理装置１０において基本機能部２０では提供できない拡張された機能（拡張した処理）を有する。さらに、拡張機能部５０は、周辺画像処理装置１０１ａ，１０２ａと連携した処理動作ができるようになっている。つまり、周辺画像処理装置１０１や周辺画像処理装置１０２が主画像処理装置１０の拡張機能を利用した処理を行うことが可能である。
【００１９】
図２は、主画像処理装置１０及び周辺画像処理装置１０１（１０２，・・・）の構成例を示す。
図２に示すように、主画像処理装置１０及び周辺画像処理装置１０１は、画像を読み取ってその画像を印刷媒体に形成することができる画像形成装置である。この例では、主画像処理装置１０や周辺画像処理装置１０１は、ともに基本機能部２０，１０１ａとして、画像読取装置２１，１０１ａ１及び印刷装置２２，１０１ａ２を有する。また、主画像処理装置１０や周辺画像処理装置１０１は、ともに画像処読取装置２１，１０１ａ１や印刷装置２２，１０１ａ２を制御する基本機能制御部４０，１０１ａ３を有する。
【００２０】
これにより、主画像処理装置１０や周辺画像処理装置１０１では、基本機能制御部４０，１０１ａ３の制御により、画像読取装置２１，１０１ａ１により原稿の画像を読み取り、その読み取って得た画像データを基に、印刷装置２２，１０１ａ２で印刷媒体に画像を形成する。印刷装置２２，１０１ａ２は、例えば、電子写真方式やインクジェット記録方式等の印刷方式により印刷媒体に画像形成するように構成されている。
【００２１】
一方、主画像処理装置１０は、周辺画像処理装置１０１にない拡張機能制御部７０（拡張機能部５０）を有する。例えば、拡張機能制御部７０は、画像読取装置２１が読み取って得た画像データに対してフォーマット変換や高圧縮化処理等の種々の処理を施す。
【００２２】
そして、主画像処理装置１０は、このような拡張機能制御部７０（拡張機能部５０）で提供している拡張機能を、周辺画像処理装置１０１（基本機能部１０１ａ）と連携して動作させることができるようになっている。例えば、この連携動作（連携機能）では、周辺画像処理装置１０１は、画像読取装置１０１ａ１が読み取った読取画像データと、該読取画像データに対する処理の指示データ（画像処理内容データ）とを通信手段２００を介して主画像処理装置１０に送信する。主画像処理装置１０では、通信手段２００を介してそれらデータを受信すると、拡張機能制御部７０にて読取画像データに対し指示データの内容に従い画像処理を施す。例えば、拡張機能制御部７０が提供している機能がフォーマット変換や高圧縮化処理であれば、それに従い、読取画像データに対しフォーマット変換や高圧縮化処理を行う。そして、主画像処理装置１０は、拡張機能制御部７０で処理した処理済データを通信手段２００を介して周辺画像処理装置１０１に送信する。周辺画像処理装置１０１は、受信した処理済みデータを不図示のＨＤＤ（Hard Disk Drive）に記憶したり、指定された不図示のＰＣに送信したりする。
【００２３】
ここで、図３に、通信手段２００に接続されている各画像処理装置３１０，３２０，３３０，・・・全てが基本機能部３１１，３２１，３３１，・・・、及び拡張機能部３１２，３２２，３３２，・・・を有する画像処理システム３００の例を示す。
【００２４】
図３に示すように、各画像処理装置３１０，３２０，３３０，・・・が基本機能部３１１，３２１，３３１，・・・及び拡張機能部３１２，３２２，３３２，・・・を有しているような場合において、画像処理装置に新たな拡張機能が必要になったとすると、その拡張機能を必要とする全ての画像処理装置を交換しなければならなくなる場合がある。
【００２５】
これに対して、本実施形態のように、主画像処理装置１０の拡張機能部５０を周辺画像処理装置１０１，１０２，・・・と連携して動作させることができるようにすることで、主画像処理装置１０だけでその対応をすれば、拡張機能部５０を持たない他の周辺画像処理装置１０１，１０２，・・・でもその機能を利用することが可能となる。
しかし、拡張機能部５０が従来のオプションカードのように、基本機能部２０と同一の電源制御であった場合、主画像処理装置１０の電源がＯＦＦにされてしまうと、拡張機能部５０もＯＦＦにされてしまうことになる。
【００２６】
このような場合、例えば、拡張機能部をもたない周辺画像処理装置１０１，１０２，・・・が主画像処理装置１０の拡張機能部５０で提供されている拡張機能を利用していると、周辺画像処理装置１０１，１０２，・・・では、その拡張機能が利用できなくなってしまう。また、そのような状況を避けるために使用者又は管理者が周辺画像処理装置１０１，１０２，・・・の稼動状況を調べた後に主画像処理装置１０の電源をＯＦＦにすることは利便性の低下を招く。
【００２７】
このようなことから、第１の実施形態では、主画像処理装置１０の拡張機能部５０が、周辺画像処理装置１０１，１０２，・・・（以下の説明では、周辺画像処理装置１０１を代表して説明する。）が主画像処理装置１０の拡張機能部５０で提供している拡張機能を連携して利用する構成において、主画像処理装置１０の電源がＯＦＦにされたとき、拡張機能を利用する可能性のある周辺画像処理装置１０１，１０２，・・・の稼動状況に応じて拡張機能部５０の動作を継続させている。
【００２８】
以下に、第１の実施形態におけるその構成及び処理等を説明する。
図４は、第１の実施形態の主画像処理装置１０の概略構成の例を示す。
図４に示すように、主画像処理装置１０は、電源部（電源供給部、電源供給システム）１１、メイン電源スイッチ１２、サブ電源スイッチ１３、基本機能部２０、画像読取装置２１、印刷装置２２、及び拡張機能部５０を有する。
【００２９】
基本機能部２０は、前述のように、主画像処理装置１０における基本的な処理を行う。この基本機能部２０は、基本機能制御部４０、基本機能電源制御部３２、及びメイン電源スイッチ状態検出部３３を有する。
【００３０】
図５は、基本機能制御部４０の構成の一例を示す。
図５に示すように、基本機能制御部４０は、ＣＰＵ（Central Processing Unit）４１、ＲＯＭ（Read Only Memory）４２、ＲＡＭ（Random Access Memory）４３、読取装置Ｉ／Ｆ（インターフェイス）４４、印刷装置Ｉ／Ｆ４５、拡張機能部Ｉ／Ｆ４６、及び電源管理部４７を有する。
【００３１】
例えば、読取装置Ｉ／Ｆ４４は、画像読取装置２１との接続インターフェイスである。また、印刷装置Ｉ／Ｆ４５は、印刷装置２２との接続インターフェイスである。また、拡張機能部Ｉ／Ｆ４６は、拡張機能部５０との間でデータやコマンドステータスの送受信、スイッチの状態の通知等のための接続インターフェイスである。また、電源管理部４７は、メイン電源スイッチ状態検出部３３からの入力を基に、基本機能電源制御部３２を制御する。また、ＲＯＭ４２には、基本機能制御部４０で処理に使用するプログラム４２ａやデータが記憶されている。
【００３２】
また、拡張機能部５０は、前述のように、主画像処理装置１０において基本機能部２０で提供できない拡張された機能（拡張した処理）を有する。この拡張機能部５０は、拡張機能制御部７０、拡張機能電源制御部６１、電源状態検出部６２、及びサブ電源スイッチ状態検出部６３を有する。
【００３３】
図６は、拡張機能制御部７０の構成の一例を示す。
図６に示すように、拡張機能制御部７０は、ＣＰＵ７１、ＲＯＭ７２、ＲＡＭ７３、不揮発性記憶部７４、通信Ｉ／Ｆ７５、基本機能部Ｉ／Ｆ７６、及電源管理部７７を有する。
例えば、不揮発性記憶部７４は、ＨＤＤ（Hard Disk Drive）である。不揮発性記憶部７４には、拡張機能制御部７０で処理に使用するプログラム７４ａやデータが記憶されている。
【００３４】
ここで、プログラム７４ａは、主画像処理装置１０の出荷時当初から不揮発性記憶部７４に記憶されているものとすることもできるが、出荷後に使用者等の作業によりＣＤ−ＲＯＭ等の記憶媒体から読み込まれて不揮発性記憶部７４に記憶されたものとすることもできる。
通信Ｉ／Ｆ７５は、ＬＡＮやインターネット等の通信手段に接続するめのインターフェイスである。基本機能部Ｉ／Ｆ７６は、基本機能部２０との間でデータやコマンドステータスの送受信、スイッチの状態の通知等のための接続インターフェイスである。また、電源管理部７７は、サブ電源スイッチ状態検出部６３からの入力を基に、拡張機能電源制御部６１を制御する。
【００３５】
この拡張機能制御部７０は、全ての周辺画像処理装置１０１についてのステータス（例えば稼動状態）のリストを生成、保存している。そのため、拡張機能制御部７０において、プログラム７４ａとしてリスト管理プログラムがあり、ＣＰＵは、このリスト管理プログラムによりリスト管理部７１ａを実現している。そして、リスト管理部７１ａが生成又は更新等が管理されるリスト７４ｂが不揮発性記憶部４４に記憶されている。
【００３６】
図７は、リスト７４ｂの例を示す。
図７に示すように、例えば、リスト７４ｂでは、周辺画像処理装置の名称、ＩＰ  address、及びステータスが対応付けされて管理されている。
【００３７】
次に、主画像処理装置１０における電源処理に係る処理を説明する。
図８及び図９は、その処理手順を示すフローチャートである。図８は、基本機能部２０の処理手順を示す。図９は、拡張機能部５０の処理手順を示す。これら図８及び図９の処理手順に沿って、基本機能部２０及び拡張機能部５０の各構成の処理を説明する。
【００３８】
先ず、基本機能部２０の電源処理手順を説明すると、図８に示すように、ステップＳ１１において、基本機能部２０の電源管理部４７は、メイン電源スイッチ状態検出部３３が検出した検出信号を基に、メイン電源スイッチ１２がＯＦＦか否かを判定する。電源管理部４７は、メイン電源スイッチ１２がＯＦＦになっていると判定したとき、ステップＳ１２に進む。
【００３９】
ステップＳ１２では、基本機能制御部４０は、拡張機能部５０（電源状態検出部６２）にメイン電源スイッチ１２のＯＦＦの通知をする。
続くステップＳ１３において、基本機能電源制御部３２は、基本機能部２０への電源供給をＯＦＦにする処理を行う。これにより、基本機能部２０は、電源部１１からの電源供給が停止される。
【００４０】
続いて拡張機能部５０の電源処理手順を説明すると、図９に示すように、ステップＳ３１において、拡張機能部５０の拡張機能制御部７０は、電源状態検出部６２により、メイン電源スイッチ１２がＯＦＦか否かを判定する。具体的には、拡張機能制御部７０は、電源状態検出部６２にメイン電源スイッチ１２のＯＦＦの通知が有るか否かを判定する。拡張機能制御部７０は、メイン電源スイッチ１２がＯＦＦになっていると判定したとき、ステップＳ３２に進む。
【００４１】
ステップＳ３２では、拡張機能制御部７０は、周辺画像処理装置１０１との連携機能が有効か否かを判定する。例えば、拡張機能制御部７０は、周辺画像処理装置１０１からの画像処理等の処理要求を拡張機能部５０が受け入れられる状態か否かを判定する。又は、拡張機能制御部７０は、拡張機能部５０が連携機能を動作できる状態か否か、また、拡張機能部５０が連携機能を動作させている状態か否かを判定する。拡張機能制御部７０は、周辺画像処理装置１０１との連携機能が有効であると判定すると、ステップＳ３３に進む。また、拡張機能制御部７０は、周辺画像処理装置１０１との連携機能が無効であると判定すると、ステップＳ３６に進む。
【００４２】
ステップＳ３３では、ＣＰＵ７１により実現されるリスト管理部７１ａが、リスト上の全ての周辺画像処理装置のステータスをＯＦＦに初期化する。
続くステップＳ３４において、リスト管理部７１ａは、リスト更新処理を行う。具体的には、リスト管理部７１ａは、周辺画像処理装置からの応答確認をする。そして、リスト管理部７１ａは、その応答確認の結果を基に、リスト保存部７２に保存されているリスト上の周辺画像処理装置のステータスを更新する。
【００４３】
続くステップＳ３５において、リスト管理部７１ａは、リスト上の全ての周辺画像処理装置のステータスがＯＦＦか否かを判定する。リスト管理部７１ａは、リスト上の全ての周辺画像処理装置のステータスがＯＦＦであると判定すると、ステップＳ３６に進む。また、リスト管理部７１ａは、リスト上の全ての周辺画像処理装置のステータスがＯＦＦでないと判定すると、一定時間経過後、前記ステップＳ３４から再び処理を継続する。
【００４４】
また、ステップＳ３６では、拡張機能制御部７０は、拡張機能部５０のシャットダウン処理を行う。このとき、拡張機能制御部７０は、シャットダウン処理として、拡張機能電源制御部６１により、電源部１１からの電源供給をＯＦＦにする処理を行う。
図１０は、前記ステップＳ３４のリスト更新処理の具体例であるサブルーチンを示すフローチャートである。
【００４５】
図１０に示すように、先ずステップＳ５１において、リスト管理部７１ａは、リストに有る全ての周辺画像処理装置に応答要求メッセージを発行する。
すなわち、リスト管理部７１ａは、応答要求メッセージを通信手段２００を介して全ての周辺画像処理装置に送信する。
【００４６】
続くステップＳ５２において、リスト管理部７１ａは、周辺画像処理装置から応答が有るか否かを判定する。すなわち、リスト管理部７１ａは、応答要求メッセージに対応する応答メッセージが通信手段２００を介して周辺画像処理装置から送信されてきたか否かを判定する。リスト管理部７１ａは、周辺画像処理装置から応答が有ると判定すると、ステップＳ５３に進む。また、リスト管理部７１ａは、周辺画像処理装置から応答が無いと判定すると、ステップＳ５４に進む。
【００４７】
ステップＳ５３では、リスト管理部７１ａは、応答の有る周辺画像処理装置についてのリストのステータスをＯＮ（"１"）に設定する。そして、リスト管理部７１ａは、該図１０に示す処理を終了する（ステップＳ３５の処理に進む）。
ステップＳ５４では、リスト管理部７１ａは、応答の無い周辺画像処理装置についてのリストのステータスをＯＦＦ（"０"）に設定する。そして、リスト管理部７１ａは、該図１０に示す処理を終了する（ステップＳ３５の処理に進む）。
【００４８】
このように、リスト管理部７１ａは、いわゆるポーリング方式により周辺画像処理装置に対する応答確認をして、その応答確認の結果を基にリスト上の周辺画像処理装置のステータスを設定又は更新している。
【００４９】
次に、拡張機能を利用する周辺画像処理装置が稼動しているために、メイン電源スイッチ１２がＯＦＦされた後も継続して電源供給されている拡張機能部５０の該電源供給を何らかの理由により強制的にＯＦＦにするときの処理を説明する。
【００５０】
図１１は、その処理を示すフローチャートである。
図１１に示すように、先ずステップＳ６１において、拡張機能制御部７０の電源管理部７７は、サブ電源スイッチ状態検出部６３からの検出信号を基に、サブ電源スイッチ１３が押されたか否かを判定する。電源管理部７７は、サブ電源スイッチ１３が押されたと判定したとき、ステップＳ６２に進む。
【００５１】
ステップＳ６２では、拡張機能制御部７０は、通信手段２００を介して周辺画像処理装置１０１に連携機能が無効となる通知をする。
続くステップＳ６３において、電源管理部７７は、拡張機能部５０への電源供給をＯＦＦにする処理を行う。
画像処理システム１は以上のように構成されており、その画像処理システム１の動作等は次のようになる。
【００５２】
主画像処理装置１０は、メイン電源スイッチ１２がＯＦＦになったとき、基本機能部２０への電源供給をＯＦＦにする処理を行う（図８参照）。
一方、主画像処理装置１０は、メイン電源スイッチ１２がＯＦＦにされても、周辺画像処理装置との連携機能が有効であるとき、リスト上の全ての周辺画像処理装置のステータスをＯＦＦに初期化する（ステップＳ３１乃至ステップＳ３３）。
【００５３】
そして、主画像処理装置１０は、周辺画像処理装置１０１に対する応答確認をして、その応答確認の結果を基にリストを更新する（ステップＳ３４）。すなわち、主画像処理装置１０は、リストに有る全ての周辺画像処理装置に応答要求メッセージを送信して、その応答の有る周辺画像処理装置についてのリストのステータスをＯＮに設定し、その応答の無い周辺画像処理装置についてのリストのステータスをＯＦＦに設定する（図１０参照）。これにより、例えば、主画像処理装置１０は、当初応答が無かったが、後に応答が有る場合、その周辺画像処理装置についてのリストのステータスをＯＮに変更する。その逆に、リスト管理部７１ａは、当初応答が有ったが、後に応答が無くなった場合、その周辺画像処理装置についてのリストのステータスをＯＦＦに変更する。
【００５４】
そして、主画像処理装置１０は、リスト上の全ての周辺画像処理装置のステータスがＯＦＦであると判定すると、拡張機能部５０のシャットダウン処理を行う（ステップＳ３６）。
【００５５】
以上のような動作により、主画像処理装置１０は、メイン電源スイッチ１２がＯＦＦになったときに、基本機能部２０への電源供給をＯＦＦにする。そして、主画像処理装置１０は、周辺画像処理装置との連携動作が有効になっていれば、その後、リスト上の全ての周辺画像処理装置のステータスがＯＦＦになったことを条件に、拡張機能部５０への電源供給をＯＦＦにする。
【００５６】
また、主画像処理装置１０は、もともと周辺画像処理装置１０１との連携機能が無効になっている場合には、メイン電源スイッチ１２がＯＦＦになったときに、基本機能部２０とともに拡張機能部５０への電源供給もＯＦＦにする。
【００５７】
また、主画像処理装置１０では、拡張機能部５０は、メイン電源スイッチ１２がＯＦＦされた後に継続して電源供給されている場合でも、サブ電源スイッチ１３がＯＦＦになったとき、周辺画像処理装置１０１に連携機能が無効となる通知をするとともに、該拡張機能部５０への電源供給をＯＦＦにする処理を行う（図１１参照）。
【００５８】
また、主画像処理装置１０は、メイン電源スイッチ１２がＯＮにされたとき、次のように起動する。
ここで、メイン電源スイッチ１２がＯＮされる前では、基本機能部２０の基本機能電源制御部３２及びメイン電源スイッチ状態検出部３３、並びに拡張機能部５０の拡張機能電源制御部６１及び電源状態検出部６２が、電源部１１から常時電源供給されて駆動されるようになっている。すなわち、これらの構成部は、メイン電源スイッチ１２及びサブ電源スイッチ１３の操作状態にかかわらず、電源部１１から常時電源供給されている。そのため、メイン電源スイッチ１２の状態を検出することができる。
【００５９】
これにより、基本機能電源制御部３２は、メイン電源スイッチ状態検出部３３が検出した検出信号を基に、メイン電源スイッチ１２のＯＮを検出すると、電源部１１に電源給電要求を出力する。そして、基本機能制御部４０（例えば電源管理部４７）は、電源供給が開始された後、ブート動作を行うとともに、電源状態検出部６２に起動要求を出力する。これに対して、拡張機能電源制御部６１は、電源状態検出部６２に起動要求が入力されると、電源部１１に電源給電要求を出力する。そして、拡張機能制御部７０は、電源供給が開始された後、ブート動作を行う。
【００６０】
以上のように、第１の実施形態では、主画像処理装置１０は、メイン電源スイッチ１２をＯＦＦにする操作がされたときに電源部１１から基本機能部２０及び拡張機能部５０への電源の供給をＯＦＦにする構成において、拡張機能部５０と周辺画像処理装置１０１との連携した処理動作の状態を基に、その電源の供給を停止させない処理、すなわち維持する処理が可能な構成になっている。
【００６１】
具体的には、主画像処理装置１０は、メイン電源スイッチ１２がＯＦＦされた後でも、拡張機能部５０の連携機能が有効であり、かつその連携機能を利用する周辺画像処理装置１０１から応答があるとき（周辺画像処理装置１０１の電源がＯＮになっているとき）、拡張機能部５０が周辺画像処理装置１０１と連携した処理動作を現に行っているとして、又は連携した処理動作を今後行う可能性が高いとして、拡張機能部５０への電源の供給を停止させないようにしている（図９参照）。
【００６２】
これにより、主画像処理装置１０は、拡張機能部５０が周辺画像処理装置１０１と連携した処理動作をする構成において、その拡張機能を利用する周辺画像処理装置１０１が稼動しているか否かに応じて拡張機能部５０への電源の供給を停止又は維持させることができる。
【００６３】
この結果、主画像処理装置１０は、メイン電源スイッチ１２がＯＦＦにされたことで、拡張機能部５０が周辺画像処理装置１０１との連携した処理動作をしなくなってしまうのを防止できる。
【００６４】
また、周辺画像処理装置１０１は、自己が稼動している間、主画像処理装置１０の拡張機能部５０の拡張機能を利用できる。
また、第１の実施形態では、主画像処理装置１０は、メイン電源スイッチ１２がＯＦＦされた後も継続して電源供給されている拡張機能部５０の該電源供給を強制的にＯＦＦにするサブ電源スイッチ１３を備えている（図１１参照）。
【００６５】
これにより、メイン電源スイッチ１２がＯＦＦにされた後も継続して電源供給されている拡張機能部５０による連携機能を何らかの理由によりＯＦＦする必要性がある場合、使用者が強制的にＯＦＦにすることができる。
また、第１の実施形態では、主画像処理装置１０は、サブ電源スイッチ１３により拡張機能部５０による連携機能がＯＦＦされたとき、通信手段２００を介して周辺画像処理装置１０１に連携機能が無効となる通知をしている（図１１参照）。
【００６６】
これにより、周辺画像処理装置１０１の使用者は、該周辺画像処理装置１０１が主画像処理装置１０の拡張機能部５０の連携機能を利用できないことを知ることができる。
なお、第１の実施形態では、第１処理手段として基本機能部２０を用いている。また、第２処理手段として拡張機能部５０を用いている。また、切替操作手段としてメイン電源スイッチ１２を用いている。また、電源供給手段として基本機能電源制御部３２及び拡張機能電源制御部６１を用いている。また、維持手段として拡張機能制御部７０を用いている。また、更新手段としてリスト管理部７１ａを用いている。また、無効操作手段としてサブ電源スイッチ１３を用いている。
【００６７】
また、第１の実施形態に関連して次のような実施例も挙げられる。
第１の実施形態に加えて、メイン電源スイッチ１２をＯＦＦにした後も、拡張機能部５０が電源供給されて継続して動作していること、すなわち、連携機能が有効であることを報知することもできる。例えば、主画像処理装置１０においてＬＥＤ等の表示手段を使用者の視認性の良い場所に備えることで報知する。
【００６８】
これにより、主画像処理装置１０の使用者は、メイン電源スイッチ１２をＯＦＦにした後に、拡張機能部５０が稼動状態になっていることを知ることができる。
また、第１の実施形態の変形例では、画像処理を行う画像処理装置以外に、他の処理を行う処理装置に適用することもできる。
【００６９】
また、第１の実施形態の変形例では、拡張機能部５０（拡張機能制御部７０）が有する拡張機能として、画像読取装置で読み取った画像を電子メールで送信する機能を有することができる。この場合、この電子メールでの送信機能を持たない周辺画像処理装置（周辺装置）が、自己の画像読取装置で読み取った画像を、送信先を指定した指示データ（指示書）とともに、電子メール送信機能を有する主画像処理装置（主処理装置）１０に送信する。これにより、主画像処理装置１０は、電子メール送信機能を用いて、周辺画像処理装置から送信されてきた画像を電子メールに添付し、所望の送信先に送信する。
【００７０】
また、第１の実施形態の変形例では、拡張機能部５０が有する拡張機能として、ネットワークストレージ機能を有することもできる。この場合、周辺画像処理装置（周辺装置）は、読み取った画像等を、ワークストレージ機能を有する主画像処理装置（主処理装置）１０のＨＤＤに保存する、又は該主画像処理装置１０を経由して、通信手段上のサーバー等に保存する。
【００７１】
次に本発明を適用した第２の実施形態を説明する。
第２の実施形態では、メイン電源スイッチ１２がＯＮになったときに（電源ＯＮ時に）、リストを初期化し、以後定期的にリストの更新を行う。
図１２及び図１３は、第２の実施形態における拡張機能部５０の処理を示すフローチャートである。
【００７２】
図１２に示すように、先ずステップＳ７１及びステップＳ７２において、拡張機能制御部７０は、第１の実施形態における処理（ステップＳ３１、ステップＳ３２）と同様に、メイン電源スイッチ１２がＯＦＦになっていると判定したとき、さらに、周辺画像処理装置１０１との連携機能が有効か否かを判定する。このとき、拡張機能制御部７０は、周辺画像処理装置１０１との連携機能が有効であると判定すると、ステップＳ７３に進む。また、拡張機能制御部７０は、周辺画像処理装置１０１との連携機能が無効であると判定すると、ステップＳ７５に進む。
【００７３】
ステップＳ７３では、リスト管理部７１ａは、リスト保存部７２に保存されているリストを確認する。すなわち、リスト管理部７１ａは、リスト上の周辺画像処理装置のステータスを確認する。
【００７４】
続くステップＳ７４において、リスト管理部７１ａは、第１の実施形態における処理（ステップＳ３５）と同様に、リスト上の全ての周辺画像処理装置のステータスがＯＦＦか否かを判定する。リスト管理部７１ａは、リスト上の全ての周辺画像処理装置のステータスがＯＦＦであると判定すると、ステップＳ７５に進む。また、リスト管理部７１ａは、リスト上の全ての周辺画像処理装置のステータスがＯＦＦでないと判定すると、前記ステップＳ７３から再び処理を継続する。
【００７５】
ステップＳ７５では、拡張機能制御部７０は、第１の実施形態における処理（ステップＳ３６）と同様に、拡張機能部５０のシャットダウン処理を行う。
次に、拡張機能部５０のリスト更新処理を説明する。
【００７６】
図１３は、その処理を示すフローチャートである。
図１３に示すように、先ずステップＳ９１において、拡張機能部５０の拡張機能制御部７０は、リスト管理部７１ａにより、リスト上の全ての周辺画像処理装置のステータスをＯＦＦに初期化する。
【００７７】
続くステップＳ９２において、リスト管理部７１ａは、リストに有る全ての周辺画像処理装置に応答要求メッセージを発行する。
続くステップＳ９３において、リスト管理部７１ａは、周辺画像処理装置から応答が有るか否かを判定する。リスト管理部７１ａは、周辺画像処理装置から応答が有ると判定すると、ステップＳ９４に進む。また、リスト管理部７１ａは、周辺画像処理装置から応答が無いと判定すると、ステップＳ９５に進む。
【００７８】
ステップＳ９４では、リスト管理部７１ａは、応答の有る周辺画像処理装置についてのリストのステータスをＯＮ（"１"）に設定する。そして、リスト管理部７１ａは、ステップＳ９２から再び処理を継続する。
ステップＳ９５では、リスト管理部７１ａは、応答の無い周辺画像処理装置についてのリストのステータスをＯＦＦ（"０"）に設定する。そして、リスト管理部７１ａは、ステップＳ９２へ処理が戻り、拡張機能部５０がＯＮの間、一定時間毎にこの更新処理を行う。
【００７９】
第２の実施形態の画像処理システムは以上のように構成されており、その画像処理システムの動作等は次のようになる。
主画像処理装置１０は、メイン電源スイッチ１２がＯＦＦになったとき、基本機能部２０への電源供給をＯＦＦにする処理を行う（図８参照）。
一方、主画像処理装置１０は、メイン電源スイッチ１２がＯＦＦにされても、連携機能が有効であるとき、リストを確認する（ステップＳ７１、ステップＳ７２）。
【００８０】
ここで、主画像処理装置１０は、メイン電源スイッチ１２がＯＮになったとき、すなわち、主画像処理装置１０が起動された直後から、そのリストの更新を開始している。具体的には、主画像処理装置１０は、メイン電源スイッチ１２がＯＮになったとき、リスト上の全ての周辺画像処理装置のステータスをＯＦＦに初期化する（ステップＳ９１）。そして、主画像処理装置１０は、その全ての周辺画像処理装置に応答要求メッセージを送信して、その応答の有る周辺画像処理装置についてのリストのステータスをＯＮに設定し、その応答の無い周辺画像処理装置についてのリストのステータスをＯＦＦに設定する（ステップＳ９２乃至ステップＳ９５）。これにより、例えば、主画像処理装置１０は、当初応答が無かったが、後に応答が有った場合、その周辺画像処理装置についてのリストのステータスをＯＮに変更する。その逆に、主画像処理装置１０は、当初応答が有ったが、後に応答が無くなった場合、その周辺画像処理装置についてのリストのステータスをＯＦＦに変更する。
【００８１】
そして、主画像処理装置１０は、以上のように更新されるリストを確認して、リスト上の全ての周辺画像処理装置のステータスがＯＦＦであると判定すると、拡張機能部５０のシャットダウン処理を行う（ステップＳ７５）。
【００８２】
以上のような動作により、主画像処理装置１０は、メイン電源スイッチ１２がＯＦＦになったとき、基本機能部２０への電源供給をＯＦＦにする。そして、主画像処理装置１０は、周辺画像処理装置との連携動作が有効になっていれば、その後、リスト上の全ての周辺画像処理装置のステータスがＯＦＦになったことを条件に、拡張機能部５０への電源供給をＯＦＦにする。
【００８３】
また、主画像処理装置１０は、もともと周辺画像処理装置１０１との連携機能が無効になっている場合には、メイン電源スイッチ１２がＯＦＦになったときに、基本機能部２０とともに拡張機能部５０への電源供給もＯＦＦにする。
以上のように、第２の実施形態では、リスト管理部７１ａは、主画像処理装置１０が起動したときにリストの更新を開始している。
【００８４】
これにより、主画像処理装置１０は、このような構成が無い場合と比較して、周辺画像処理装置１０１の動作状態、又は周辺画像処理装置１０１と連携した処理動作の状態を早く判定することができる。例えば、主画像処理装置１０は、メイン電源スイッチ１２がＯＦＦにされたときにリストの更新を開始する構成と比較して、早く判定することができる。
【００８５】
また、第２の実施形態の変形例として次のようなものが挙げられる。
第２の実施形態の変形例として、図１４及び図１５に示す処理によりリストを更新することもできる。図１４は、周辺画像処理装置１０１の処理を示すフローチャートであり、図１５は、主画像処理装置１０の処理を示すフローチャートである。
【００８６】
先ず、周辺画像処理装置１０１の処理から説明すると、図１４に示すように、先ずステップＳ１１１において、周辺画像処理装置１０１は、自己が保持するリストに登録してある主画像処理装置１０（該周辺画像処理装置１０１が連携処理可能な又は連携処理を許可されている主画像処理装置１０）に電源ＯＮメッセージを送信する。
【００８７】
続くステップＳ１１２において、周辺画像処理装置１０１は、電源ＯＮメッセージに対する応答メッセージが主画像処理装置１０から有るか否かを判定する。周辺画像処理装置１０１は、電源ＯＮメッセージに対する応答メッセージが主画像処理装置１０から有ると判定すると、ステップＳ１１３に進む。また、周辺画像処理装置１０１は、電源ＯＮメッセージに対する応答メッセージが主画像処理装置１０から無いと判定すると、ステップＳ１１７に進む。
【００８８】
ステップＳ１１３では、周辺画像処理装置１０１は、主画像処理装置１０で使用する機能（連携した処理を行う機能）を有効化する。
続くステップＳ１１４において、周辺画像処理装置１０１は、自己の電源スイッチがＯＦＦされたか否かを判定する。周辺画像処理装置１０１は、自己の電源スイッチがＯＦＦになっていると判定したとき、ステップＳ１１５に進む。
【００８９】
ステップＳ１１５では、周辺画像処理装置１０１は、リストに登録してある主画像処理装置１０に電源ＯＦＦメッセージを送信する。
続くステップＳ１１６において、周辺画像処理装置１０１は、シャットダウン処理を行う。
また、ステップＳ１１７では、主画像処理装置１０の拡張機能部５０が稼動していないか、又はネットワーク上の不具合により通信できないため、周辺画像処理装置１０１は、主画像処理装置１０で使用する機能（連携した処理を行う機能）を使用不可（無効化）にする。その後、周辺画像処理装置１０１は、ステップＳ１１１の処理に戻る。
【００９０】
一方、図１５に示すように、先ずステップＳ１３１において、拡張機能制御部７０は、リスト管理部７１ａにより、リスト上の全ての周辺画像処理装置のステータスをＯＦＦに初期化する。
続くステップＳ１３２において、リスト管理部７１ａは、周辺画像処理装置１０１からメッセージを受信したか否かを判定する。リスト管理部７１ａは、周辺画像処理装置１０１からメッセージを受信したと判定したとき、ステップＳ１３３に進む。
【００９１】
ステップＳ１３３では、リスト管理部７１ａは、前記ステップＳ１３２で受信したと判定したメッセージが電源ＯＮメッセージか否かを判定する。リスト管理部７１ａは、前記ステップＳ１３２で受信したと判定したメッセージが電源ＯＮメッセージであると判定すると、ステップＳ１３４に進む。また、リスト管理部７１ａは、前記ステップＳ１３２で受信したと判定したメッセージが電源ＯＮメッセージでないと判定すると、すなわち、メッセージが電源ＯＦＦメッセージのとき、ステップＳ１３６に進む。
【００９２】
ステップＳ１３４では、リスト管理部７１ａは、電源ＯＮメッセージの受信の有った周辺画像処理装置、すなわち、電源ＯＮメッセージを送信してきた周辺画像処理装置のリスト上のステータスをＯＮ（"１"）に設定する。そして、リスト管理部７１ａは、ステップＳ１３５に進む。
【００９３】
ステップＳ１３５では、リスト管理部７１ａは、電源ＯＮメッセージの受信の有った周辺画像処理装置１０１に応答メッセージを送信する。そして、リスト管理部７１ａは、ステップＳ１３２に戻り、リストの更新を継続する。
【００９４】
また、ステップＳ１３６では、リスト管理部７１ａは、電源ＯＦＦメッセージの受信の有った周辺画像処理装置、すなわち、電源ＯＦＦメッセージを送信してきた周辺画像処理装置のリスト上のステータスをＯＦＦ（"０"）に設定する。そして、リスト管理部７１ａは、ステップＳ１３２に戻り、リストの更新を継続する。
【００９５】
このような処理により、周辺画像処理装置１０１は、自己の電源がＯＮになったとき、リストに登録してある主画像処理装置１０に電源ＯＮメッセージを送信する（ステップＳ１１１）。これにより、主画像処理装置１０は、周辺画像処理装置１０１からの電源ＯＮメッセージを受信すると、その周辺画像処理装置１０１のリスト上のステータスをＯＮに設定するとともに、その周辺画像処理装置１０１に応答メッセージを送信する（ステップＳ１３２乃至ステップＳ１３５）。この結果、周辺画像処理装置１０１は、主画像処理装置１０から応答メッセージがあったとき、主画像処理装置１０で使用する機能（連携した処理を行う機能）を有効化する。
【００９６】
また、周辺画像処理装置１０１は、電源ＯＮメッセージに対する応答メッセージが主画像処理装置１０から無いときには、応答メッセージがあるまで、主画像処理装置１０で使用する機能を使用不可にするとともに、主画像処理装置１０に電源ＯＮメッセージを定期的に送信し続ける（ステップＳ１１７、ステップＳ１１１）。
そして、周辺画像処理装置１０１は、自己の電源がＯＦＦになったとき、リストに登録してある主画像処理装置１０に電源ＯＦＦメッセージを送信するとともに、シャットダウン処理を行う（ステップＳ１１４乃至ステップＳ１１６）。
【００９７】
以上のように、第２の実施形態の変形例では、周辺画像処理装置１０１は、自己の電源がＯＮになったとき、主画像処理装置１０に電源ＯＮメッセージを送信している（図１４）。そして、主画像処理装置１０は、その電源ＯＮメッセージを基に、リストを更新している（図１５）。
【００９８】
これにより、主画像処理装置１０は、このような構成が無い場合と比較して、リストの更新処理の負担を軽減することができる。例えば、主画像処理装置１０は、周辺画像処理装置１０１にメッセージを逐一送信して応答確認（ポーリング方式による応答確認）をする構成と比較して、リストの更新処理の負担を軽減することでシステム全体の負荷を低減させることができる。
【符号の説明】
【００９９】
１０  主画像処理装置、１１  電源部、１２  メイン電源スイッチ、１３  サブ電源スイッチ、２０  基本機能部、３２  基本機能電源制御部、３３  メイン電源スイッチ状態検出部、４０  基本機能制御部、５０  拡張機能部、６１  拡張機能電源制御部、６２  電源状態検出部、６３  サブ電源スイッチ状態検出部、７０  拡張機能制御部、７１ａ  リスト管理部
【図１】
2011201140.tif 000003
【図２】
2011201140.tif 000004
【図３】
2011201140.tif 000005
【図４】
2011201140.tif 000006
【図５】
2011201140.tif 000007
【図６】
2011201140.tif 000008
【図７】
2011201140.tif 000009
【図８】
2011201140.tif 000010
【図９】
2011201140.tif 000011
【図１０】
2011201140.tif 000012
【図１１】
2011201140.tif 000013
【図１２】
2011201140.tif 000014
【図１３】
2011201140.tif 000015
【図１４】
2011201140.tif 000016
【図１５】
2011201140.tif 000017